(57)【要約】  本発明はＭＲＩ誘導の超音波治療装置を提供し、これは予め定められたゾーン内に磁気共振容積の静磁界を供給するように適合された静磁界磁石と、ゾーンに予め定められたエネルギを供給するためエネルギを供給するように適合された少なくとも１つの超音波エネルギアプリケータと、エネルギ供給ゾーンを治療のターゲット領域で磁気共振容積と交差させるように構成された超音波エネルギアプリケータの移動及び位置調節装置とを含んでいる。ある装置では、静磁界磁石は２つの端部が開かれ、側面が開かれ、側面の開部は上方または下方に開き、超音波エネルギアプリケータの移動及び位置調節装置は側面の開部の近くまたはその外側にある。本発明によれば、超音波エネルギアプリケータの移動および位置調節装置のスペース限定は減少され、同時に超音波エネルギ交換器の移動および位置調節装置非磁性要求は大きく減少され、特にこれはエネルギ交換器の電力線の動作電流により発生される磁界がＭＲＩシステムを妨害する問題を解決する。【選択図】図１
2008528139.tif 000002
【特許請求の範囲】
【請求項１】
ａ．予め定められた配置で磁気共鳴容積中に静磁界を供給するように構成された静磁界磁石と、
ｂ．予め定められた配置でエネルギ供給ゾーン内にエネルギを供給するように構成された少なくとも１つの超音波エネルギアプリケータと、
ｃ．エネルギの供給ゾーンが治療主体の領域内の磁気共鳴容積と交差するように、アプリケータを位置させるように前記超音波エネルギアプリケータを動かすための機械的な位置調節手段とを具備しており、
前記静磁界磁石は端部、または側部で上方または下方に向けて開かれており、前記超音波エネルギアプリケータの機械的な位置調節手段は前記静磁界磁石の開かれた部分に近接してその外側に置かれているＭＲＩ誘導の高強度の焦点に集束された超音波治療装置。
【請求項２】
前記超音波エネルギアプリケータもまた前記静磁界磁石の開かれた部分の外部に位置されている請求項１記載の装置。
【請求項３】
下方に向けて開いた部分を有する前記静磁界磁石がさらに開いたフレキシブルな流体容器を具備し、治療を受ける前記患者は前記流体に直接接触される請求項２記載の装置。
【請求項４】
さらに、患者を固定するための治療ベッドを具備し、前記治療ベッドは開口を有し、前記フレキシブルな流体容器はこの開口を通して患者に結合され、前記流体は脱ガスされた水である請求項３記載の装置。
【請求項５】
前記静磁界磁石が上方に開かれた部分を有する時、前記フレキシブルな流体容器はフレキシブルな音響薄膜材料により密封され、フレキシブルな音響薄膜は患者との接触表面として使用される請求項４記載の装置。
【請求項６】
前記磁石の閉じた側は患者を固定するためのベッドとして使用される請求項５記載の装置。
【請求項７】
ＭＲＩ画像は治療を受ける主体の領域を位置付け、超音波ビームの伝送路をチェックし、治療手順を行うために使用される請求項１乃至６のいずれか１項記載の装置。
【請求項８】
実時間のＭＲＩ高速度画像は治療を受ける主体の領域に対する音響エネルギの供給を監視し、および／または超音波ビームの伝送路をチェックする請求項１乃至６のいずれか１項記載の装置。
【請求項９】
本発明により提供される装置をさらに提供し、この装置はさらに治療を受ける主体の領域の局部的な温度情報、および／または前記ＭＲＩシステムからの磁気共鳴容積内の超音波ビームの伝送路を得るための受信及び処理手段を含んでいる請求項１乃至６のいずれか１項記載の装置。
【請求項１０】
さらに、温度画像は治療の監視のために使用される請求項９記載の装置。
【発明の詳細な説明】
【技術分野】
【０００１】
本発明は超音波治療装置、特にＭＲＩ誘導される高強度の焦点集束された超音波（ＨＩＦＵ）治療装置に関する。
【背景技術】
【０００２】
高強度の焦点集束された超音波（ＨＩＦＵ）治療は非侵襲姓で非外傷性の方法である。これは特に腫瘍を有する患者に適用される。通常の外科手術および化学療法と比較して、ＨＩＦＵ治療は患者に与える外傷が少なく、それ故その応用は迅速に発展されている。その適応は肝臓癌、骨の肉腫、胸部癌、膵臓癌、腎臓癌、柔組織の腫瘍、骨盤腫瘍等を含んでいる。
【０００３】
大部分の既存のＨＩＦＵ治療は主体の領域を突き止め治療を監視するためにＢモードの超音波画像化装置を使用する。Ｂモードの超音波画像化装置の採用は次のような利点を有する。廉価、実時間画像化、治療の超音波と同じ音響パスを有すること、画像のグレースケールの変化にしたがって高強度の焦点集束された超音波（ＨＩＦＵ）露出後の組織の壊死の観察が可能なこと等である。しかし、Ｂモードの超音波画像はある角度を有する単なる平面画像であり、相対的な組織の関係、治療を受ける主題の領域の固体構造、治療の音響パスおよび主体領域の背後の領域等を完全に表示できない。３次元の超音波システムが使用されても、バーチャル領域は依然として限定される。さらに超音波画像は観察の深度において限定され、骨が画像に非常に影響するので骨の後方の組織を表示することはほとんど不可能である。治療の監視期間中に画像上に深刻な雑音が存在する。さらに超音波画像は組織の境界を識別する能力が貧弱であり、特に小さい腫瘍及び深い層の腫瘍を識別することさらに困難である。
【０００４】
核磁気共鳴映像法（ＮＭＲＩ）は生物学及び医療分野で重要な応用である。これはＭＲＩ（磁気共鳴映像法）の短縮名称を有し、核磁気共鳴ＣＴとも呼ばれる（ここでのＣＴはコンピュータ断層撮影法の短縮名称である）。ＭＲＩの簡単な原理は、患者が画像化磁石内に位置することである。その後無線周波数信号が患者に与えられる。主体の領域の水素中の核が無線周波数信号により励起され、弱い周波数信号を送信し、この信号は核磁気共鳴信号と呼ばれる。このプロセス中、適切な勾配が磁界に与えられ、それによって磁気共鳴信号は選択的に捕捉されることができる。情報は各点の組織特性を得るように処理され、さらに組織が画像化されることができる。
【０００５】
磁気共鳴映像法（ＭＲＩ）は異なる組織を識別する大きな能力を有し、正常な組織と腫瘍組織との弁別および腫瘍組織の境界の決定を容易にする。ＭＲＩは主体の容積データを提供し、人体の一部または全身が画像化され、それ故、ＭＲＩはＨＩＦＵにより治療を受ける主体の領域の位置を突き止め、ＨＩＦＵの手術手順をプランするのに非常に適している。一方で、ＭＲＩ技術の開発により、既存のＭＲＩ装置は既に実時間で組織の画像を得ることができ、さらに画像はある容積を有する３次元画像である。それ故、ＭＲＩは実時間で治療手順を監視するための優秀な技術を提供する。特に温度画像は熱治療により予測される非侵襲性の温度測定方法を提供し、ＨＩＦＵ治療の投薬量の制御と、主体の領域の治療と、エネルギの制御に非常に重要な意味を有する。
【０００６】
この技術では、患者の内部組織の超音波治療はＭＲＩにより監視され誘導されることが発見されている。ＨＩＦＵ手術では、ＭＲＩはＨＩＦＵ治療前に治療を受ける主体の領域の位置を突き止めるために患者を走査し、さらに超音波を主体の領域に誘導し、ＨＩＦＵ治療期間中の組織の温度変化を監視するために使用され、それによって主体の領域のみが周囲の正常な組織を破壊せずに加熱されることを確実にする。ＭＲＩの利点は当業者によりよく知られている。
【０００７】
現在、ＭＲＩ誘導超音波治療装置の焦点の主要な問題はＭＲＩシステムと集束される超音波治療システムとの間の干渉である。ＭＲＩシステムの作動は定常的な強力な磁界を必要とする。特に比較的閉じられた磁界で磁界の強度および定常度を確実にするために、超音波トランスデューサが磁界中で動作されるとき、その機械的な運動の位置付け手段のためのスペースは非常に限定される。この技術分野では、この問題に対して、幾つかの特許が既に幾つかの解決策を与えようとしている。
【０００８】
日本国特許第3322649号明細書はＭＲＩと超音波治療装置とを組み合わせた治療システムを開示している。このシステムは最初に腫瘍の位置を決定し、その後患者をＭＲＩの磁界から出し、超音波により処置するためにＭＲＩを使用する。この種の治療は患者の反復された移動を必要とし、多数回の位置付けを必要とする。位置付けシステムは複雑であり、位置付けを行うために長い時間が必要とされる。さらに、治療期間中の実時間の監視及びオンライン監視は実現が困難である。
【０００９】
米国特許5275165号明細書（発明の名称“Magnetic resonance guided ultrasound therapy system with inclined track to move transducers in a small vertical space”）はＭＲＩ外科システムを提供し、それは主体内の領域中の組織を選択的に破壊する焦点に集束された超音波トランスデューサにより手術を促進する。集束された超音波トランスデューサは破壊される組織の領域内の焦点にエネルギを集中させる。ＭＲＩ磁石の穿孔内に容易に適合するように十分小さな垂直次元の運動を有する非磁性の運動位置調節装置は限定された垂直スペースで超音波エネルギアプリケータを駆動する。位置調節装置は複数の液圧ポジショナと、オペレータの制御下で超音波の焦点の位置を調節するための傾斜された平面を使用する。温度感知パルスシーケンスを使用するＭＲＩシステムは組織の画像を生成し、領域は加熱され、それによってオペレータは超音波エネルギを適切な位置へ誘導するように超音波トランスデューサの位置を調節することを可能にされる。
【００１０】
米国特許第5443068号明細書（発明の名称“Mechanical positioner for magnetic resonance guided ultrasound therapy”）は同様に超音波エネルギアプリケータの非磁性位置調節装置を開示しており、それはＭＲＩ磁石の穿孔内で動作される。この発明の目的は磁界内で動作される簡単化されたポジショナを提供することである。また、位置調節手段の材料によるＭＲＩシステムの磁界に対する干渉も回避される。別の類似する特許には米国特許第5275165号明細書（発明の名称“Magnetic resonance guided ultrasound therapy system with inclined track to move transducers in a small vertical space”）等が含まれている。
【００１１】
前述の米国特許に記載されている解決策は超音波治療トランスデューサおよび位置調節手段をＭＲＩシステムの静磁界内に配置することである。位置調節手段は治療トランスデューサを動かし、トランスデューサの焦点は腫瘍を露出するために使用され、それ故病気の治療と実時間の監視が実現される。技術的問題を解決する手段は主として治療トランスデューサと位置調節手段の非磁性設計と、ＭＲＩ磁界内の超音波エネルギアプリケータの作業要求を満たすために可能な限り位置調節手段の容積とその動作スペースを最小にすることを目標としている。これらの技術的な解決策は主として次のような欠点を有する。１）非磁性設計と治療トランスデューサおよびその位置調節手段での治療の要求が高いため、技術的な複雑性及び価格が増加され、２）位置調節手段が磁界内に位置されているので、超音波トランスデューサの動作範囲は厳密に限定され、さらに、高強度の集束された超音波治療は非常に正確な位置調節システムを必要とし、臨床応用における実際の治療装置の位置調節手段は通常大きいので、この技術的解決策は装置の製造と実際の応用の難点を増加し、３）電力をトランスデューサへ供給するために使用される導体の１部が磁界内に位置されているので、導体を流れる電流により発生される磁界はＭＲＩシステムへ大きな干渉を起こし、それは磁気信号に対して敏感であり、４）オペレータに対する補助的な手作業の動作を行うことは困難であり、それはまたオペレータが臨床的な観察を行うには不便である。
【００１２】
中国特許第98805359.4号明細書（発明の名称“MRI guided therapeutic equipment and method”）は新しいタイプのＭＲＩ装置を開示している。このＭＲＩ装置の静磁界（主要磁界）は通常のＭＲＩ装置により採用されている閉じられたまたは半分閉じられた静磁界とは異なっている。その技術的な中核は超伝導性の片側の磁界を提供することである。それ故、これは大きいスケールの開いた磁界であり、治療装置の動きについて幾つかの利点を有し、前述の米国特許明細書が遭遇する問題を解決できる。
【００１３】
しかし、この磁界の設計についての技術的解決策は依然として幾つかの不満足な点を有している。即ち、１）弱い磁界強度と不均一な磁力線分布は画像の品質に影響する。低い磁界下では、画像化の時間は長く、実時間の画像化および温度測定を実現することは非常に困難である。効率的な磁気共鳴容量、即ち磁気共鳴画像化に利用可能な磁界は数センチメートルのみであり、２）より複雑な超伝導性技術を適用することが必要とされているので、装置の複雑さは高く、これを実現することは非常に困難であり、この装置で応用可能な技術が完成されるのには長い時間がかかる。
【００１４】
それ故、比較的廉価で、動作が容易であり、特に高強度の集束された超音波治療に適しているＭＲＩ誘導超音波治療システムを提供することが期待されている、それによって超音波治療技術はさらに安全性を強化し、処置時間を短くするように改良されることができる。
【発明の開示】
【発明が解決しようとする課題】
【００１５】
［本発明の目的及び技術的解決策］  
本発明の１目的は、既存の超音波治療装置を伴って比較的廉価で既存の完成したＭＲＩシステムを使用することである。超音波治療装置からＭＲＩへの干渉は可能な限り最小にされ、ＭＲＩにより誘導される超音波治療が実現されることができる。
【００１６】
本発明の別の目的は、特に高強度の集束された超音波治療を行うのに適したＭＲＩ誘導の超音波治療装置を提供することである。
【００１７】
本発明のさらに別の目的は、超音波エネルギアプリケータを治療を受ける患者に結合するためにＭＲＩ誘導の超音波治療装置で開放されたフレキシブルな容器を使用し、さらに高強度の集束された超音波治療の安全で理想的な治療効果を確実にすることである。
【００１８】
高強度の集束された超音波治療システムと共に使用されるＭＲＩによる干渉問題が解決された後、本発明のさらに別の目的は情報を獲得するためにＭＲＩシステムを使用することであり、相対的なデジタル化処理と、したがって実時間でのＭＲＩ監視、ＭＲＩにより誘導される超音波治療が実現される。
【課題を解決するための手段】
【００１９】
本発明の目的を実現し、既存の技術的問題を解決するために、本発明はＭＲＩ誘導の超音波治療装置を提供し、この装置は、
ａ．予め定められた配置で磁気共鳴容積中に静磁界を供給するために採用された静磁界磁石と、
ｂ．予め定められた配置でエネルギ供給ゾーン内にエネルギを供給するために採用された少なくとも１つの超音波エネルギアプリケータと、
ｃ．エネルギの供給ゾーンが主体の前記領域内の前記磁気共鳴容積と交差するように、アプリケータを配置するように前記超音波エネルギアプリケータを動かすための機械的な位置調節手段とを具備している。
【００２０】
この装置では、静磁界磁石は両端部、または側部で上方または下方に向けて開かれている。この超音波エネルギアプリケータの位置調節手段は開かれた部分の外側に近接して位置されている。
【００２１】
本発明により採用される開かれている磁石は既存の技術で多くのオプションを有する。磁石はＣ型のものまたはＵ型のものでよい。０３Ｔを超える磁界強度を有する永久磁石が好ましい。さらに既存の超伝導性の開かれた磁石も好ましく、これは対面する磁界を与えることができる。これは２つの端部と側面の１つの開かれた部分を有する。磁界強度は０．５Ｔ以上である。
【００２２】
治療中、患者は静磁界磁石の磁気ギャップ中に固定され、位置が調節される。磁気ギャップが上方に向けて開かれているならば、超音波エネルギアプリケータはその開かれた部分の上方に配置されることができる。磁気ギャップが下方に向けて開かれているならば、超音波エネルギアプリケータはその開かれた部分の下方に配置されることができる。さらに電磁気干渉を減少するために、超音波エネルギアプリケータは静磁界磁石の開かれた部分を超えて位置されることができる。
【００２３】
本発明は、大部分の高強度の集束された超音波治療装置では流体の結合剤が必要とされるので、上方向または下方向の開部を有する磁気ギャップを採用する。流体結合剤のための容器はフレキシブルな材料から作られることが好ましい。容器は治療を受ける主体の身体と十分に、近接して接触し、それによって予測しない超音波反射表面が生じることが防止される。したがって、技術的に超音波エネルギアプリケータが上部位置に位置されるならば、治療を受ける主体は上方に向けて開かれた磁石の孔内に位置され、或いは超音波エネルギアプリケーションが下部位置に位置されるならば、治療を受ける主体は下方に向けて開かれた磁石の孔内で位置される。このようにして、ＭＲＩ誘導治療は容易に行われ、特に高強度の集束された超音波治療装置に対しては適している。
【００２４】
さらに前述したような装置では、磁気ギャップの下方に向けて開かれていることが好ましい。治療ベッドが治療を受ける主体を動かし固定するために使用されることができる。そのベッドは長方形の開口または円形の開口を有し、それは超音波治療装置の結合剤容器を収納するために使用される。この技術的な解決策では、患者が直接容器内の流体と接触できるように開かれたフレキシブルな流体容器が採用されることができる。したがって患者は容器中の結合剤によって超音波治療装置の超音波エネルギアプリケータに結合される。したがって、皮膚と容器との間の音響薄膜は省かれることができ、熱放射は容易になり、音響パス中の皮膚表面における音響エネルギの堆積は減少されることができる。容器内の結合剤は脱ガスされた水である。
【００２５】
静磁界磁石が側面で上方に向けて開かれているとき、フレキシブルな流体容器はフレキシブルな音響薄膜により密封され、この薄膜は患者との接触表面として使用される。また、磁石の閉じた側面は患者を固定するためのベッドとして使用されることができる。
【００２６】
本発明はＭＲＩシステムと超音波治療との間の干渉の問題を改良する。ＭＲＩ画像は治療を受ける主体の領域を位置させ、超音波ビームの伝送路をチェックし、治療手順を行うために使用されることができる。
【００２７】
本発明はさらに治療装置を提供し、この装置は治療を受ける主体の領域に対する音響エネルギの供給を監視し、および／または超音波ビームの伝送路をチェックするために実時間のＭＲＩ高速度画像を使用する。
【００２８】
本発明により提供される装置はさらに治療を受ける主体の領域についての局部温度情報と、および／またはＭＲＩシステムからの磁気共鳴容積内の超音波ビームの伝送路についての情報を得るための受信及び処理手段を含んでいる。
【００２９】
さらに、本発明はＭＲＩ誘導超音波治療装置を提供する。超音波エネルギアプリケータは静磁界磁石の側面の開かれた部分の外方に位置されている。したがってＭＲＩ磁界に対する干渉はさらに減少されることができ、より多くの正確な画像が確実にされることができる。
【００３０】
最後に、本発明は磁気共鳴装置を提供する。その静磁界磁石は端部およびセクションの１側面に上方または下方に向いて開かれた部分を有する開かれた磁石であり、セクションの下方に向けた開部が好ましい。さらに、永久磁石が静磁界磁石として好ましく採用される。このような上方または下方を向いて開かれた部分を有する静磁界磁石の配置は既存の磁気共鳴装置では開示されていない。これは特に、実時間の治療監視またはオンライン治療を実現するために高強度の集束された超音波治療装置と共に使用するのに適している。
【００３１】
［本発明の有益な効果］  
既存の技術のほとんどのものが磁界内で非磁性設計及び動作を採用する状態を目的としているのに対して、本発明は既存の開かれた磁界を採用し、主磁界の外部に超音波トランスデューサの機械的な位置調節手段を配置し、超音波トランスデューサの機械的位置調節手段のためのスペースの制限を減少させている。一方、機械的な位置調節手段における非磁性的な要求は非常に少なくなり、特にトランスデューサの電力コードからＭＲＩシステムへの動作電流により発生された磁界からの干渉の問題が解決されることができる。さらに、超音波トランスデューサもまた主磁界の外部に位置されることができる。したがってＭＲＩシステムに対する超音波治療装置により使用される電力により発生される磁界の干渉はさらに減少され、前述のＭＲＩ磁界に対する米国特許に記載されたトランスデューサ電力コードと位置調節手段の動作電流により発生された磁界からの干渉の問題は解決されることができる。一方で、本発明により、医療人員は患者の身体位置を変更し、固定することができ、ある程度まで患者を監視し、動作することができる。
【００３２】
既存の高強度の集束された超音波治療装置は容易に再構成され、本発明により採用されることができる。
【００３３】
ＭＲＩ技術の開発により、より多くの種類の開かれた磁界が選択されることができる。多くの磁性材料が中国北部で製造され、中国の永久磁石の開かれたＭＲＩシステムにおける一般的な技術レベルは世界でも進歩したレベルに到達している。中国において有効なＭＲＩ技術が選択され、超音波治療技術と共に使用されるならば、使用価格は非常に減少されることができ、市場の期待は良好である。
【００３４】
本発明は通常の高強度の焦点集束された超音波治療の適用範囲を拡張することができる。これは特に比較的複雑な腫瘍治療に適しており、良好な社会的利益を有する。特に、本発明のＭＲＩシステムの構成は、本発明の発明者によって以前に提出された中国特許第98100283.8号明細書（発明の名称“High intensity focused ultrasound system for scanning and curing tumor”）に開示されている技術的解決策に対して適合し、オーブンフレキシブルな流体容器を有する超音波治療システムが本発明により選択されることができる。したがって、高強度の集束された超音波治療の安全性と良好な効果が確実にされることができる。
【００３５】
本発明はＭＲＩ（磁気共鳴映像法）装置の検査領域をほとんどまたは完全に維持することができるが、中国特許第98805359.4号明細書（発明の名称“MRI-guided therapeutic unit and method”）はこれを実現するのが非常に困難である。大きい検査領域は臨床的な観察を更に可視的で便利なものにする。ＭＲＩシステムはその競合性と有用性の比を促進するために多くの機能を保持することができる。
【発明を実施するための最良の形態】
【００３６】
前述の段落の説明は本発明を要約している。以下、添付図面を参照して本発明をさらに好ましい実施形態により詳細に説明し、それによって当業者は本発明の構造をさらに容易に理解でき、本発明の目的及び利点はさらに容易に明白になるであろう。  
本発明の超音波エネルギアプリケータとは特に焦点に集束される超音波トランスデューサを意味している。このトランスデューサは単一の円形ピエゾ電気セラミックと集束のための音響レンズ、または単一の球形のピエゾ電気セラミックであってもよい。また、同じサイズまたは異なるサイズの多数のピエゾ電気セラミックセルが球形のトランスデューサを形成するように組み合わせられることもできる。トランスデューサは位相制御にしたがって、単一の信号または多数の信号により駆動されることができる。またトランスデューサは表面の形状、面積、焦点距離、周波数、焦点の形状等のパラメータを異なる治療位置にしたがって変化することができる。
【００３７】
［実施形態１］  
図１に示されているシステムは磁石１、治療ベッド２、水の容器４、治療トランスデューサ５、制御システム６、ＭＲＩ画像処理手段11、治療ベッド用の機械的位置調節手段21、治療トランスデューサ用の機械的な位置調節手段51、システム内に位置され治療を受ける患者７を含んでいる。磁石１は下方が開かれている０．３Ｔ永久磁石である（例えばNingbo Heli Magnetech有限会社により製造された０．３ＴのＮＭＲ永久磁石）。勾配磁界ユニットは磁界のｘ／ｙ／ｚの３次元スペースをコード化するために使用される。ＲＦユニットは画像化シーケンス信号を送信し、身体から磁気共鳴応答信号を受信し、ＭＲＩ画像処理手段11は組織構造の画像と温度画像を再構築する。
【００３８】
治療トランスデューサ５は焦点距離１００ｍｍ−１５０ｍｍ、直径１２０ｍｍ−１５０ｍｍ、動作周波数０．５ＭＨｚ乃至２ＭＨｚの球体−焦点集束ピエゾ電気トランスデューサである。治療トランスデューサ５は治療トランスデューサ51用の機械的な位置調節手段51に接続される。その機械的な位置調節手段により駆動されるとき、治療トランスデューサ５は±１００ｍｍの移動範囲でｘ、ｙ、ｚ軸に沿って移動することができ、約±４５度ｘ／ｙ／ｚ軸の周囲を回転することができる。
【００３９】
超音波治療トランスデューサ５と治療を受ける患者の身体７との間の超音波媒体は摂氏約２５度の制御された温度を有する脱ガスされ脱イオン化された純水である。
【００４０】
治療ベッド２は磁石１の開部の外に位置され、そのベッドの材料は可能な限り磁界に対する干渉を減少するために非磁性材料である。治療の超音波を伝送するために穴が治療ベッド２の中央に位置されており、水の容器４は穴の下に接続されている。治療ベッド２は治療ベッド用の機械的な位置調節手段21により支持されている。治療ベッド用の機械的な位置調節手段21は±２００ｍｍの移動範囲で患者の身体の軸方向に沿って水平におよび±２００ｍｍの移動範囲で垂直に移動するように治療ベッド２を駆動する。
【００４１】
ＭＲＩ画像処理手段11と、治療ベッド用の機械的な位置調節手段21と、治療トランスデューサ51用の機械的な位置調節手段とは制御システム６に接続されている。制御システム６は治療ベッド用の機械的な位置調節手段21を駆動して治療ベッド２を移動させ、治療を受ける患者７の病気部分を磁気共鳴容積内に位置させ、その後ＭＲＩ画像処理手段11は病気部分を画像化する。制御システム６は治療トランスデューサ用の機械的な位置調節手段51を駆動して治療トランスデューサ５の焦点と目的とする主体の領域の病気部分とを磁気共鳴容積内でオーバーラップさせ、それから治療超音波ビームが患者を治療するために放射される。
【００４２】
この実施形態では、治療ベッド２、水の容器４、治療トランスデューサ５、制御システム６、治療ベッド用の機械的な位置調節手段21、治療トランスデューサ用の機械的な位置調節手段51は磁石の外部に位置され、そのため磁界に対する大きな干渉が回避される。
【００４３】
［実施形態２］  
図２に示されているシステムは、磁石１、治療ベッド２、水の容器４、治療トランスデューサ５、制御システム６、ＭＲＩ画像処理手段11、音響薄膜41、治療ベッド用の機械的な位置調節手段21、治療トランスデューサ用の機械的な位置調節手段51、システム内に位置付けられ治療を受ける患者７を含んでいる。システムの磁石１は上方が開かれている０．３Ｔ永久磁石である（例えばNingbo Heli Magnetech有限会社により製造された０．３ＴのＮＭＲ永久磁石）。
【００４４】
治療ベッド２は磁石１のギャップ内に位置され、治療を受ける患者７を支持している。水の容器４と治療トランスデューサ５は治療トランスデューサ用の機械的な位置調節手段51に取付けられている。水の容器４の表面には音響薄膜41が存在する。この薄膜は媒体水が溢れることを防止する。
【００４５】
この実施形態では、治療超音波が上から下へ患者に対して適用される。この実施形態のその他のコンポーネント及び機能は実施形態１と同じであり、それ故ここではこれらの説明を反復しない。
【００４６】
当業者は前述の実施形態の多数の変形及び変更を容易に行うことが可能であり、或いは他の分野にそれを適用することができる。本発明は全ての種類の実施形態および応用を含んでいる。本発明を好ましい実施形態にしたがって説明したが、本発明の技術的範囲は本発明の特許請求の範囲を除いては限定されない。
【図面の簡単な説明】
【００４７】
【図１】本発明の１実施形態によるシステム構造の構成を示した概略図。
【図２】本発明の別の実施形態によるシステム構造の構成を示した概略図。
【符合の説明】
【００４８】
１…磁石、２…治療ベッド、４…水の容器、５…治療トランスデューサ、６…制御システム、７…治療を受ける患者、11…ＭＲＩ画像処理手段、21…治療ベッド用の機械的位置調節手段、41…音響薄膜、51…治療トランスデューサ用の機械的位置調節手段。
【図１】
2008528139.tif 000003
【図２】
2008528139.tif 000004
【国際調査報告】
2008528139.tif 000005
2008528139.tif 000006
2008528139.tif 000007
2008528139.tif 000008